(57)【要約】【課題】マルチメディア（ＭＭ）コンテンツ素材を、目的と利用環境に基づいて再構成し、再構成したコンテンツを自動的に生成すること。【解決手段】実施の形態によるコマーシャル（ＣＭ）自動生成装置は、利用目的設定部１、利用環境設定部２、コンテンツ再構成部３、操作表示部４、および記憶部５を備える。利用目的設定部１は利用者からの利用目的情報を受け付けて設定し、利用環境設定部２は利用者がＣＭコンテンツを視聴する利用環境情報を入力する場合に受け付けて設定し、コンテンツ再構成部３は、利用目的設定部１によって設定された利用目的情報および利用環境設定部２によって設定された利用環境情報に従って、ＭＭコンテンツを再構成してＣＭコンテンツを自動的に生成する。【選択図】        図１
2006005895.tif 000002
【特許請求の範囲】
【請求項１】
利用目的に応じてマルチメディアコンテンツを再構成するマルチメディアコンテンツ再
構成装置であって、
前記利用目的についての利用目的情報の設定を受け付ける利用目的設定手段と、
再構成される前記マルチメディアコンテンツが利用される環境についての利用環境情報
の設定を受け付ける利用環境設定手段と、
前記利用目的設定手段によって設定された前記利用目的情報および前記利用環境設定手
段によって設定された前記利用環境情報に基づいて、前記マルチメディアコンテンツの素
材を再構成するコンテンツ再構成手段と、
を備えたことを特徴とするマルチメディアコンテンツ再構成装置。
【請求項２】
前記利用目的設定手段は、ＣＭとしての利用、ショートクリップとしての利用、および受動的視聴利用の少なくとも１つの利用目的を含む前記利用目的情報の設定入力を受け付けるものであり、
前記利用環境設定手段は、携帯端末での利用およびテレビジョン端末での利用の少なく
とも１つの利用環境を含む前記利用環境情報の設定入力を受け付けるものであることを特徴とする請求項１に記載のマルチメディアコンテンツ再構成装置。
【請求項３】
ユーザの前記利用目的情報および前記利用環境情報を蓄積するユーザ情報データベース
を、さらに備え、
前記利用目的設定手段は、前記ユーザ情報データベースに蓄積された前記利用目的情報
を受け付け、
前記利用環境設定手段は、前記ユーザ情報データベースに蓄積された前記利用環境情報
を受け付けるものであることを特徴とする請求項１または２に記載のマルチメディアコン
テンツ再構成装置。
【請求項４】
前記利用目的設定手段は、前記利用目的情報として、映像コンテンツの予告編、商品説明およびプロモーションビデオのうち少なくとも１つを含むコマーシャル（ＣＭ）コンテンツの利用目的情報、ショートクリップの利用目的情報、プレゼンテーションの少なくとも一部分の提示を利用目的とする利用目的情報、および緊急情報の提供を利用目的とする利用目的情報の少なくともいずれかを含む前記利用目的情報を受け付け、
前記コンテンツ再構成手段は、前記ＣＭコンテンツ、前記ショートクリップ、前記プレゼンテーションの少なくとも一部分、および前記緊急情報の少なくともいずれかを含むマルチメディアコンテンツを再構成するものであることを特徴とする請求項１〜３のいずれか１つに記載のマルチメディアコンテンツ再構成装置。
【請求項５】
前記コンテンツ再構成手段は、
前記マルチメディアコンテンツを再構成するためのテンプレートの設定を受け付けるテ
ンプレート設定手段と、
前記マルチメディアコンテンツを再構成するための音楽データの設定を受け付ける音楽
設定手段と、
前記利用目的情報および利用環境情報に基づいて、マルチメディアコンテンツ素材を検
索する素材検索手段と、
受け付けられた前記テンプレート、前記音楽データ、および検索された前記マルチメデ
ィアコンテンツ素材から、前記利用目的情報および利用環境情報に基づいて、マルチメデ
ィアコンテンツを再構築するマルチメディアコンテンツ再構築手段と、
を有することを特徴とする請求項４に記載のマルチメディアコンテンツ再構成装置。
【請求項６】
前記利用環境における前記再構成されたマルチメディアコンテンツを表示する表示画面
のレイアウト、各素材コンテンツのタイムライン、およびコンテンツ切り替え時のエフェ
クト情報を含む前記テンプレートを蓄積するテンプレートＤＢを、さらに備え、
前記テンプレート設定手段は、前記利用目的情報および利用環境情報に基づいて、前記
テンプレートＤＢに蓄積した前記テンプレートから選択してユーザに対して表示して、前
記ユーザによる設定入力を受け付けるものであることを特徴とする請求項５に記載のマル
チメディアコンテンツ再構成装置。
【請求項７】
前記テンプレート設定手段は、ユーザによるテンプレート設定入力を受け付け、受け付
けられた設定入力により前記テンプレートを生成して、前記テンプレートＤＢに蓄積し、
かつ、
蓄積された前記テンプレートを組み合わせて新たにテンプレートを生成して前記テンプ
レートＤＢにさらに蓄積するものであることを特徴とする請求項６に記載のマルチメディ
アコンテンツ再構成装置。
【請求項８】
音楽情報を蓄積する音楽情報ＤＢを、さらに備え、
前記音楽設定手段は、設定された前記テンプレート、前記利用目的情報、および利用環
境情報に基づいて、音楽情報を選択して表示し、前記ユーザによる設定入力を受け付ける
ものであることを特徴とする請求項６または７に記載のマルチメディアコンテンツ再構成
装置。
【請求項９】
前記音楽設定手段は、設定を受け付ける音楽としてＢＧＭ（バックグラウンドミュージ
ック）の設定を受け付けるものであることを特徴とする請求項５〜８のいずれか１つに記
載のマルチメディアコンテンツ再構成装置。
【請求項１０】
マルチメディアコンテンツ素材およびそのインデックス情報を蓄積するマルチメディア
コンテンツ素材ＤＢを、さらに備え、
前記素材検索手段は、前記利用目的情報および利用環境情報に基づいて、前記マルチメ
ディアコンテンツ素材ＤＢから前記マルチメディアコンテンツ素材を抽出するものである
ことを特徴とする請求項５〜９のいずれか１つに記載のマルチメディアコンテンツ再構成
装置。
【請求項１１】
前記素材検索手段は、前記マルチメディアコンテンツ素材におけるキーワード情報を抽
出して重要度を設定するキーワード抽出手段と、
画像情報を抽出し重要度を設定する画像抽出手段と、
映像情報を抽出して重要度を設定する映像抽出手段と、
音声情報を抽出して重要度を設定する音声抽出手段と、
上記抽出された情報の重要度に基づいてマルチメディアコンテンツを再構成するマルチ
メディアコンテンツ再構築手段を、を有するものであることを特徴とする請求項５〜１０
のいずれか１つに記載のマルチメディアコンテンツ再構成装置。
【請求項１２】
前記キーワード抽出手段は、前記マルチメディアコンテンツ素材ＤＢから前記キーワー
ド情報を抽出して重要度を設定するものであり、かつ、
前記ユーザによる前記抽出されたキーワードの変更入力および新たなキーワードの設定
入力を受け付けるものであることを特徴とする請求項１１に記載のマルチメディアコンテ
ンツ再構成装置。
【請求項１３】
前記画像抽出手段は、画像の特徴による重要度の判定、前記キーワード抽出手段による重要度の設定入力、前記ユーザによる画像重要度の設定入力の受け付け、および画像認識による画像切り出しの少なくとも１つに基づいて画像を抽出するものであることを特徴とする請求項１１または１２に記載のマルチメディアコンテンツ再構成装置。
【請求項１４】
前記利用目的設定手段及び利用環境設定手段の少なくともいずれかが、再構成するコンテンツのサイズの設定を受け付けた場合、前記画像抽出手段は受け付けられた該設定サイズに基づいて前記画像の抽出方法を選択するものであることを特徴とする請求項１３に記載のマルチメディアコンテンツ再構成装置。
【請求項１５】
前記映像抽出手段は、映像の特徴による重要度の判定、前記キーワード抽出手段による
重要度の設定入力、前記ユーザによる映像重要度の設定入力の受け付け、および映像認識による映像切り出しの少なくとも１つに基づいて映像を抽出するものであることを特徴とする請求項１１〜１４のいずれか１つに記載のマルチメディアコンテンツ再構成装置。
【請求項１６】
前記利用目的設定手段及び利用環境設定手段の少なくともいずれかが、再構成するコンテンツのサイズの設定を受け付けた場合、前記映像抽出手段は受け付けられた該設定サイズに基づいて前記映像の抽出方法を選択するものであることを特徴とする請求項１５に記載のマルチメディアコンテンツ再構成装置。
【請求項１７】
前記音声抽出手段は、音声認識技術による重要度の判定、前記キーワード抽出手段による重要度の設定入力、ワードスポッティング技術による重要度の判定、前記ユーザによる音声の重要度の設定入力の受け付け、および前記音声認識技術による音声の切れ目による切り出しの少なくとも１つに基づいて音声を抽出するものであることを特徴とする請求項１１〜１６のいずれか１つに記載のマルチメディアコンテンツ再構成装置。
【請求項１８】
前記利用目的設定手段及び利用環境設定手段の少なくともいずれかが、再構成するコンテンツのサイズの設定を受け付けた場合、前記音声抽出手段は受け付けられた該設定サイズに基づいて前記音声の抽出方法を選択するものであることを特徴とする請求項１７に記載のマルチメディアコンテンツ再構成装置。
【請求項１９】
前記再構成されるマルチメディアコンテンツの視聴者および配信者を含むユーザに対し
て、前記マルチメディアコンテンツ素材の少なくとも一部分を表示させないように設定す
る制限設定入力を受け付ける制限設定手段を、さらに有し、
前記コンテンツ再構成手段は、前記制限設定手段によって表示させないように設定され
た前記マルチメディアコンテンツ素材の部分を除外して、前記マルチメディアコンテンツ
を再構成するものであることを特徴とする請求項２〜１８のいずれか１つに記載のマルチ
メディアコンテンツ再構成装置。
【請求項２０】
前記キーワード抽出手段、前記画像抽出手段、前記映像抽出手段、および前記音声抽出
手段のうち少なくとも２つの抽出手段の重要度の優先順位を設定する優先順位設定入力を
受け付ける抽出優先度設定手段を、さらに備え、
前記コンテンツ再構成手段は、前記抽出優先度設定手段によって設定された優先順位に
、さらに基づいて前記マルチメディアコンテンツを再構成するものであることを特徴とす
る請求項１１〜１９のいずれか１つに記載のマルチメディアコンテンツ再構成装置。
【請求項２１】
利用目的に応じてマルチメディアコンテンツを再構成するマルチメディアコンテンツ再
構成方法であって、
前記利用目的についての利用目的情報の設定を受け付ける利用目的設定工程と、
再構成される前記マルチメディアコンテンツが利用される環境についての利用環境情報
の設定を受け付ける利用環境設定工程と、
前記利用目的設定工程において設定された前記利用目的情報および前記利用環境設定工
程によって設定された前記利用環境情報に基づいて、前記マルチメディアコンテンツの素
材を再構成するコンテンツ再構成工程と、
を備えたことを特徴とするマルチメディアコンテンツ再構成方法。
【請求項２２】
前記利用目的設定工程は、ＣＭとしての利用、ショートクリップとしての利用、および受動的視聴利用の少なくとも１つの利用目的を含む前記利用目的情報の設定入力を受け付けるものであり、
前記利用環境設定工程は、携帯端末での利用およびテレビジョン端末での利用の少なく
とも１つの利用環境を含む前記利用環境情報の設定入力を受け付けるものであることを特徴とする請求項２１に記載のマルチメディアコンテンツ再構成方法。
【請求項２３】
前記利用目的設定工程は、ユーザの前記利用目的情報および前記利用環境情報を蓄積す
るユーザ情報データベースに蓄積された前記利用目的情報を受け付け、
前記利用環境設定工程は、前記ユーザ情報データベースに蓄積された前記利用環境情報
を受け付けるものであることを特徴とする請求項２１または２２に記載のマルチメディア
コンテンツ再構成方法。
【請求項２４】
請求項２１〜２３に記載のマルチメディアコンテンツ再構成方法のいずれか１つをコン
ピュータに実行させることを特徴とするマルチメディアコンテンツ再構成プログラム。
【請求項２５】
それぞれネットワークを介して接続されて成り、マルチメディアコンテンツを生成するマルチメディアコンテンツ生成装置と、
前記マルチメディアコンテンツ生成装置によって生成されたマルチメディアコンテンツを受信し、受信した前記マルチメディアコンテンツを利用目的に応じて再構成するマルチメディアコンテンツ再構成装置と、
前記マルチメディアコンテンツ再構成装置によって再構成されたマルチメディアコンテンツを前記ネットワークを介して送信する送信サーバと、
前記送信サーバによって送信される再構成されたマルチメディアコンテンツを受信する複数の情報端末と、を備えたマルチメディアコンテンツ配信システムであって、
前記マルチメディアコンテンツ再構成装置は、
前記利用目的についての利用目的情報の設定を受け付ける利用目的設定手段と、
再構成される前記マルチメディアコンテンツが利用される環境についての利用環境情報の設定を受け付ける利用環境設定手段と、
前記利用目的設定手段によって設定された前記利用目的情報および前記利用環境設定手段によって設定された前記利用環境情報に基づいて、前記生成されたマルチメディアコンテンツを再構成するコンテンツ再構成手段と、
を備えたことを特徴とするマルチメディアコンテンツ配信システム。
【請求項２６】
前記マルチメディアコンテンツ生成装置は、ＭＰＭｅｉｓｔｅｒ（Ｒ）であることを特徴とする請求項２５に記載のマルチメディアコンテンツ配信システム。
【請求項２７】
前記情報端末は携帯電話であり、
前記利用環境設定手段は、前記携帯電話の利用による利用環境情報を設定するものであることを特徴とする請求項２５または２６に記載のマルチメディアコンテンツ配信システム。
【請求項２８】
前記利用目的設定手段は、緊急情報の緊急配信であること、周知徹底情報の配信であること、およびプレゼンテーションコンテンツの配信であることの少なくとも１つを利用目的情報として受け付け、
前記マルチメディアコンテンツ再構成手段は、緊急事態に起因する緊急情報に関するマルチメディアコンテンツ、周知徹底情報に関するマルチメディアコンテンツ、およびプレゼンテーションコンテンツであるマルチメディアコンテンツの少なくとも１つを再構成することを特徴とする請求項２５〜２７のいずれか１つに記載のマルチメディアコンテンツ配信システム。
【請求項２９】
前記送信サーバは、前記マルチメディアコンテンツ再構成装置によって生成されたＭＭコンテンツを、予め設定されたスケジュールに基づいて配信することを特徴とする請求項２５〜２８のいずれか１つに記載のマルチメディアコンテンツ配信システム。
【請求項３０】
前記マルチメディア再構成手段は、前記プレゼンテーションコンテンツであるマルチメディアコンテンツのタイムラインを維持して再構成し、
前記送信サーバは、前記マルチメディアコンテンツ再構成手段によってタイムラインを保持して再構成された前記プレゼンテーションコンテンツを、前記タイムラインを保持して前記情報端末に配信することを特徴とする請求項２９に記載のマルチメディアコンテンツ配信システム。
【請求項３１】
前記送信サーバは、前記マルチメディアコンテンツ再構成装置によって再構成されたマルチメディアを表示するホームページをＷｅｂ上に備え、前記携帯端末からのダウンロードを受け付けるものであることを特徴とする請求項２５〜３０のいずれか１つに記載のマルチメディアコンテンツ配信システム。
【発明の詳細な説明】
【技術分野】
【０００１】
本発明は、マルチメディアコンテンツを再構成する技術に関するものであり、特にマル
チメディアコンテンツを目的に応じて再構成する技術に関するものであり、さらに特には
マルチメディアコンテンツを再構成してコマーシャルコンテンツを生成する技術に関する
ものである。
【背景技術】
【０００２】
近年、マルチメディアコンテンツ（以下ＭＭコンテンツと称する）をさまざまな端末で
扱える環境が整ってきた。また、ＭＭコンテンツの数自体も増加している。大量のＭＭコ
ンテンツの中から視聴したいＭＭコンテンツを一般のユーザが選択するためには、各ＭＭ
コンテンツのダイジェストや、予告編などの所謂コマーシャル（ＣＭ）コンテンツがある
と便利である。その場合、特に、ＭＭコンテンツの内容をまとめただけのダイジェストよ
りも、コンテンツの予告編のようにコマーシャル的に再構成したいわゆるＣＭコンテンツ
が有効である。しかしながら、このようなダイジェストや、予告編などのＣＭコンテンツ
を人手により手動で作成するにはコストがかかり過ぎて、ＭＭコンテンツの増加に対応す
ることができないという問題があった。
【０００３】
また、プレゼンテーションを収録し、自動的にＷｅｂ公開用のコンテンツを生成するツールが、株式会社リコー（Ｒ）によってＭＰＭｅｉｓｔｅｒ（Ｒ）と呼ぶツールが製作されている。
【０００４】
そこで、例えば、利用者の嗜好に基づいてマルチメディアコンテンツからダイジェスト
を生成し、配信する技術が考案されていた（特許文献１）。
【０００５】
【特許文献１】特開２００３−３３３５００号公報
【非特許文献１】株式会社リコー著「ＭＰＭｅｉｓｔｅｒ  Ｖ１．３日本語環境リリースノート」株式会社リコー発行、２００４年７月９日
【発明の開示】
【発明が解決しようとする課題】
【０００６】
しかしながら、この技術においては、配信先の個人の嗜好性に基づいてダイジェストを
生成して配信する技術ではあるものの、ＣＭ目的を含む利用目的および利用端末に応じて
自動的にＭＭコンテンツを再構成する技術ではなかった。
【０００７】
また、上記ＭＰＭｅｉｓｔｅｒ（Ｒ）は、１時間のプレゼンテーションを１時間のコンテンツとして生成する。このため、短い時間で手軽にプレゼンテーションを視聴したい、あるいは毎日少しずつプレゼンテーションを視聴していきたい、といった利用者の要望に対応できなかった。特に携帯端末を表示デバイスとして想定した場合、長時間の視聴は難しいため、コンテンツを特にショートクリップとして提供するほうが望ましいのであったが、従来のＭＰＭｅｉｓｔｅｒ（Ｒ）は、プレゼンテーションの一部分を切り出して部分的なコンテンツとして配信することができなかったので、携帯端末のようなデバイスでの視聴には不向きであった。
【０００８】
本発明は、上記に鑑みてなされたものであって、利用目的に従ってＭＭコンテンツ素材
からＭＭコンテンツを再構成するマルチメディアコンテンツ再構成装置、マルチメディア
コンテンツ再構成方法、その方法をコンピュータに実行させるプログラム、およびマルチメディアコンテンツ配信システムを提供することを目的とする。また、特に、ＣＭコンテンツやショートクリップを自動的に生成することができるマルチメディアコンテンツ再構成装置、マルチメディアコンテンツ再構成方法、その方法をコンピュータに実行させるプログラム、およびマルチメディアコンテンツ配信システムを提供することを目的とする。
【課題を解決するための手段】
【０００９】
上述した課題を解決し、目的を達成するために、請求項１にかかる発明は、利用目的に
応じてマルチメディアコンテンツを再構成するマルチメディアコンテンツ再構成装置であ
って、前記利用目的についての利用目的情報の設定を受け付ける利用目的設定手段と、再
構成される前記マルチメディアコンテンツが、利用される環境についての利用環境情報の
設定を受け付ける利用環境設定手段と、前記利用目的設定手段によって設定された前記利
用目的情報および前記利用環境設定手段によって設定された前記利用環境情報に基づいて
、前記マルチメディアコンテンツの素材を再構成するコンテンツ再構成手段と、を備えた
ことを特徴とする。
【００１０】
また、請求項２にかかる発明は、請求項１に記載のマルチメディアコンテンツ再構成装
置において前記利用目的設定手段は、ＣＭとしての利用、ショートクリップとしての利用、および受動的視聴利用の少なくとも１つの利用目的を含む前記利用目的情報の設定入力を受け付けるものであり、前記利用環境設定手段は、携帯端末での利用およびテレビジョン端末での利用の少なくとも１つの利用環境を含む前記利用環境情報の設定入力を受け付けるものであることを特徴とする。
【００１１】
また、請求項３にかかる発明は、請求項１または２に記載のマルチメディアコンテンツ
再構成装置において、ユーザの前記利用目的情報および前記利用環境情報を蓄積するユー
ザ情報データベースを、さらに備え、前記利用目的設定手段は、前記ユーザ情報データベ
ースに蓄積された前記利用目的情報を受け付け、前記利用環境設定手段は、前記ユーザ情
報データベースに蓄積された前記利用環境情報を受け付けるものであることを特徴とする
。
【００１２】
また、請求項４にかかる発明は、請求項１〜３のいずれか１つに記載のマルチメディア
コンテンツ再構成装置において、前記利用目的設定手段は、前記利用目的情報として、映像コンテンツの予告編、商品説明およびプロモーションビデオのうち少なくとも１つを含むコマーシャル（ＣＭ）コンテンツの利用目的情報、ショートクリップの利用目的情報、プレゼンテーションの少なくとも一部分の提示を利用目的とする利用目的情報、および緊急情報の提供を利用目的とする利用目的情報の少なくともいずれかを含む前記利用目的情報を受け付け、前記コンテンツ再構成手段は、前記ＣＭコンテンツ、前記ショートクリップ、前記プレゼンテーションの少なくとも一部分、および前記緊急情報の少なくともいずれかを含むマルチメディアコンテンツを再構成するものであることを特徴とする。
【００１３】
また、請求項５にかかる発明は、請求項４に記載のマルチメディアコンテンツ再構成装
置において、前記コンテンツ再構成手段は、前記マルチメディアコンテンツを再構成する
ためのテンプレートの設定を受け付けるテンプレート設定手段と、前記マルチメディアコ
ンテンツを再構成するための音楽データの設定を受け付ける音楽設定手段と、前記利用目
的情報および利用環境情報に基づいて、マルチメディアコンテンツ素材を検索する素材検
索手段と、受け付けられた前記テンプレート、前記音楽データ、および検索された前記マ
ルチメディアコンテンツ素材から、前記利用目的情報および利用環境情報に基づいて、マ
ルチメディアコンテンツを再構築するマルチメディアコンテンツ再構築手段と、を有する
ことを特徴とする。
【００１４】
また、請求項６にかかる発明は、請求項５に記載のマルチメディアコンテンツ再構成装
置において、前記利用環境における前記再構成されたマルチメディアコンテンツを表示す
る表示画面のレイアウト、各素材コンテンツのタイムライン、およびコンテンツ切り替え
時のエフェクト情報を含む前記テンプレートを蓄積するテンプレートＤＢを、さらに備え
、前記テンプレート設定手段は、前記利用目的情報および利用環境情報に基づいて、前記
テンプレートＤＢに蓄積した前記テンプレートから選択してユーザに対して表示して、前
記ユーザによる設定入力を受け付けるものであることを特徴とする。
【００１５】
また、請求項７にかかる発明は、請求項６に記載のマルチメディアコンテンツ再構成装
置において、前記テンプレート設定手段は、ユーザによるテンプレート設定入力を受け付
け、受け付けられた設定入力により前記テンプレートを生成して、前記テンプレートＤＢ
に蓄積し、かつ、蓄積された前記テンプレートを組み合わせて新たにテンプレートを生成
して前記テンプレートＤＢにさらに蓄積するものであることを特徴とする。
【００１６】
また、請求項８にかかる発明は、請求項６または７に記載のマルチメディアコンテンツ
再構成装置において、音楽情報を蓄積する音楽情報ＤＢを、さらに備え、前記音楽設定手
段は、設定された前記テンプレート、前記利用目的情報、および利用環境情報に基づいて
、音楽情報を選択して表示し、前記ユーザによる設定入力を受け付けるものであることを
特徴とする。
【００１７】
また、請求項９にかかる発明は、請求項５〜８のいずれか１つに記載のマルチメディア
コンテンツ再構成装置において、前記音楽設定手段は、設定を受け付ける音楽としてＢＧ
Ｍ（バックグラウンドミュージック）の設定を受け付けるものであることを特徴とする。
【００１８】
また、請求項１０にかかる発明は、請求項５〜９のいずれか１つに記載のマルチメディ
アコンテンツ再構成装置において、マルチメディアコンテンツ素材およびそのインデック
ス情報を蓄積するマルチメディアコンテンツ素材ＤＢを、さらに備え、前記素材検索手段
は、前記利用目的情報および利用環境情報に基づいて、前記マルチメディアコンテンツ素
材ＤＢから前記マルチメディアコンテンツ素材を抽出するものであることを特徴とする。
【００１９】
また、請求項１１にかかる発明は、請求項５〜１０のいずれか１つに記載のマルチメデ
ィアコンテンツ再構成装置において、前記素材検索手段は、前記マルチメディアコンテン
ツ素材におけるキーワード情報を抽出して重要度を設定するキーワード抽出手段と、画像
情報を抽出し重要度を設定する画像抽出手段と、映像情報を抽出して重要度を設定する映
像抽出手段と、音声情報を抽出して重要度を設定する音声抽出手段と、上記抽出された情
報の重要度に基づいてマルチメディアコンテンツを再構成するマルチメディアコンテンツ
再構築手段を有するものであることを特徴とする。
【００２０】
また、請求項１２にかかる発明は、請求項１１に記載のマルチメディアコンテンツ再構
成装置において、前記キーワード抽出手段は、前記マルチメディアコンテンツ素材ＤＢか
ら前記キーワード情報を抽出して重要度を設定するものであり、かつ前記ユーザによる前
記抽出されたキーワードの変更入力および新たなキーワードの設定入力を受け付けるもの
であることを特徴とする。
【００２１】
また、請求項１３にかかる発明は、請求項１１または１２に記載のマルチメディアコン
テンツ再構成装置において、前記画像抽出手段は、画像の特徴による重要度の判定、前記
キーワード抽出手段による重要度の設定入力、前記ユーザによる画像重要度の設定入力の受け付け、および画像認識による画像切り出しの少なくとも１つに基づいて画像を抽出するものであることを特徴とする。
【００２２】
また、請求項１４にかかる発明は、請求項１３に記載のマルチメディアコンテンツ再構成装置において、前記利用目的設定手段及び利用環境設定手段の少なくともいずれかが、再構成するコンテンツのサイズの設定を受け付けた場合、前記画像抽出手段は受け付けられた該設定サイズに基づいて前記画像の抽出方法を選択するものであることを特徴とする。
【００２３】
また、請求項１５にかかる発明は、請求項１１〜１４のいずれか１つに記載のマルチメ
ディアコンテンツ再構成装置において、前記映像抽出手段は、映像の特徴による重要度の
判定、前記キーワード抽出手段による重要度の設定入力、前記ユーザによる映像重要度の設定入力の受け付け、および映像認識による画像切り出しの少なくとも１つに基づいて映像を抽出するものであることを特徴とする。
【００２４】
また、請求項１６にかかる発明は、請求項１５に記載のマルチメディアコンテンツ再構成装置であって、前記利用目的設定手段及び利用環境設定手段の少なくともいずれかが、再構成するコンテンツのサイズの設定を受け付けた場合、前記映像抽出手段は受け付けられた該設定サイズに基づいて前記映像の抽出方法を選択するものであることを特徴とする。
【００２５】
また、請求項１７にかかる発明は、請求項１１〜１６のいずれか１つに記載のマルチメ
ディアコンテンツ再構成装置において、前記音声抽出手段は、音声認識技術による重要度
の判定、前記キーワード抽出手段による重要度の設定入力、ワードスポッティング技術に
よる重要度の判定、前記ユーザによる音声の重要度の設定入力の受け付け、および音声認識技術による音声の切れ目による切り出しの少なくとも１つに基づいて音声を抽出するものであることを特徴とする。
【００２６】
また、請求項１８にかかる発明は、請求項１７に記載のマルチメディアコンテンツ再構成装置において、前記利用目的設定手段及び利用環境設定手段の少なくともいずれかが、再構成するコンテンツのサイズの設定を受け付けた場合、前記音声抽出手段は受け付けられた該設定サイズに基づいて前記音声の抽出方法を選択するものであることを特徴とする。
【００２７】
また、請求項１９にかかる発明は、請求項２〜１８のいずれか１つに記載のマルチメデ
ィアコンテンツ再構成装置において、前記再構成されるマルチメディアコンテンツの視聴
者および配信者を含むユーザに対して、前記マルチメディアコンテンツ素材の少なくとも
一部分を表示させないように設定する制限設定入力を受け付ける制限設定手段を、さらに
有し、前記コンテンツ再構成手段は、前記制限設定手段によって表示させないように設定
された前記マルチメディアコンテンツ素材の部分を除外して、前記マルチメディアコンテ
ンツを再構成するものであることを特徴とする。
【００２８】
また、請求項２０にかかる発明は、請求項１１〜１９のいずれか１つに記載のマルチメ
ディアコンテンツ再構成装置において、前記キーワード抽出手段、前記画像抽出手段、前
記映像抽出手段、および前記音声抽出手段のうち少なくとも２つの抽出手段の重要度の優
先順位を設定する優先順位設定入力を受け付ける抽出優先度設定手段を、さらに備え、前
記コンテンツ再構成手段は、前記抽出優先度設定手段によって設定された優先順位に、さ
らに基づいて前記マルチメディアコンテンツを再構成するものであることを特徴とする。
【００２９】
また、請求項２１にかかる発明は、利用目的に応じてマルチメディアコンテンツを再構
成するマルチメディアコンテンツ再構成方法であって、前記利用目的についての利用目的
情報の設定を受け付ける利用目的設定工程と、再構成される前記マルチメディアコンテン
ツが利用される環境についての利用環境情報の設定を受け付ける利用環境設定工程と、前
記利用目的設定工程において設定された前記利用目的情報および前記利用環境設定工程に
よって設定された前記利用環境情報に基づいて、前記マルチメディアコンテンツの素材を
再構成するコンテンツ再構成工程と、を備えたことを特徴とする。
【００３０】
また、請求項２２にかかる発明は、請求項２１に記載のマルチメディアコンテンツ再構
成方法において、前記利用目的設定工程は、ＣＭとしての利用および受動的視聴利用の少
なくとも１つの利用目的を含む前記利用目的情報のユーザによる設定入力を受け付けるも
のであり、前記利用環境設定工程は、携帯端末での利用およびテレビジョン端末での利用
の少なくとも１つの利用環境を含む前記利用環境情報のユーザによる設定入力を受け付け
るものであることを特徴とする。
【００３１】
また、請求項２３にかかる発明は、請求項２１または２２に記載のマルチメディアコン
テンツ再構成方法において、前記利用目的設定工程は、ユーザの前記利用目的情報および
前記利用環境情報を蓄積するユーザ情報データベースに蓄積された前記利用目的情報を受
け付け、前記利用環境設定工程は、前記ユーザ情報データベースに蓄積された前記利用環
境情報を受け付けるものであることを特徴とする。
【００３２】
また、請求項２４にかかる発明は、マルチメディアコンテンツ再構成プログラムであっ
て、請求項２１〜２３に記載のマルチメディアコンテンツ再構成方法のいずれか１つをコ
ンピュータに実行させることを特徴とする。
【００３３】
また、請求項２５にかかる発明は、それぞれネットワークを介して接続されて成り、マルチメディアコンテンツを生成するマルチメディアコンテンツ生成装置と、前記マルチメディアコンテンツ生成装置によって生成されたマルチメディアコンテンツを受信し、受信した前記マルチメディアコンテンツを利用目的に応じて再構成するマルチメディアコンテンツ再構成装置と、前記マルチメディアコンテンツ再構成装置によって再構成されたマルチメディアコンテンツを前記ネットワークを介して送信する送信サーバと、前記送信サーバによって送信される再構成されたマルチメディアコンテンツを受信する複数の情報端末と、を備えたマルチメディアコンテンツ配信システムであって、前記マルチメディアコンテンツ再構成装置は、前記利用目的についての利用目的情報の設定を受け付ける利用目的設定手段と、再構成される前記マルチメディアコンテンツが利用される環境についての利用環境情報の設定を受け付ける利用環境設定手段と、前記利用目的設定手段によって設定された前記利用目的情報および前記利用環境設定手段によって設定された前記利用環境情報に基づいて、前記生成されたマルチメディアコンテンツを再構成するコンテンツ再構成手段と、を備えたことを特徴とする。
【００３４】
また、請求項２６にかかる発明は、請求項２５に記載のマルチメディアコンテンツ配信システムにおいて、前記マルチメディアコンテンツ生成装置は、ＭＰＭｅｉｓｔｅｒ（Ｒ）であることを特徴とする。
【００３５】
また、請求項２７にかかる発明は、請求項２５または２６に記載のマルチメディアコンテンツ配信システムにおいて、前記情報端末は携帯電話であり、前記利用環境設定手段は、前記携帯電話の利用による利用環境情報を設定するものであることを特徴とする。
【００３６】
また、請求項２８にかかる発明は、請求項２５〜２７のいずれか１つに記載のマルチメディアコンテンツ配信システムにおいて、前記利用目的設定手段は、緊急情報の緊急配信であること、周知徹底情報の配信であること、およびプレゼンテーションコンテンツの配信であることの少なくとも１つを利用目的情報として受け付け、前記マルチメディアコンテンツ再構成手段は、緊急事態に起因する緊急情報に関するマルチメディアコンテンツ、周知徹底情報に関するマルチメディアコンテンツ、およびプレゼンテーションコンテンツであるマルチメディアコンテンツの少なくとも１つを再構成することを特徴とする。
【００３７】
また、請求項２９にかかる発明は、請求項２５〜２８のいずれか１つに記載のマルチメディアコンテンツ配信システムにおいて、前記送信サーバは、前記マルチメディアコンテンツ再構成装置によって生成されたＭＭコンテンツを、予め設定されたスケジュールに基づいて配信することを特徴とする。
【００３８】
また、請求項３０にかかる発明は、請求項２９に記載のマルチメディアコンテンツ配信システムにおいて、前記マルチメディア再構成手段は、前記プレゼンテーションコンテンツであるマルチメディアコンテンツのタイムラインを維持して再構成し、前記送信サーバは、前記マルチメディアコンテンツ再構成手段によってタイムラインを保持して再構成された前記プレゼンテーションコンテンツを、前記タイムラインを保持して前記情報端末に配信することを特徴とする。
【００３９】
また、請求項３１にかかる発明は、請求項２５〜３０のいずれか１つに記載のマルチメディアコンテンツ配信システムにおいて、前記送信サーバは、前記マルチメディアコンテンツ再構成装置によって再構成されたマルチメディアを表示するホームページをＷｅｂ上に備え、前記携帯端末からのダウンロードを受け付けるものであることを特徴とする。
【発明の効果】
【００４０】
請求項１にかかる発明によれば、再構成されて利用されるマルチメディアコンテンツの
利用目的およびＰＣなどの利用環境情報を設定し、設定された利用目的情報および利用環
境情報に基づいて、マルチメディアコンテンツの素材を再構成するので、利用目的と利用
環境に適合したマルチメディアコンテンツを自動的に再構成できるマルチメディアコンテ
ンツ再構成装置を提供できるという効果を奏する。
【００４１】
また、請求項２にかかる発明によれば、利用目的の設定は、ＣＭとしての利用、ショートクリップとしての利用、および受動的視聴利用の少なくとも１つを含む利用目的情報を設定入力でき、また利用環境の設定は、携帯端末での利用およびテレビジョン端末での利用の少なくとも１つを含む利用環境情報を設定入力できるので、設定入力によって、例えば受動的にショートクリップを携帯端末で視聴できるようにマルチメディアコンテンツを自動的に再構成できるマルチメディアコンテンツ再構成装置を提供できるという効果を奏する。
【００４２】
また、請求項３にかかる発明によれば、ユーザの利用目的情報および利用環境情報を蓄
積するユーザ情報データベースから、利用目的および利用環境を設定できるので、自動的
にユーザの利用する目的と環境に適合したマルチメディアコンテンツを自動的に再構成で
きるマルチメディアコンテンツ再構成装置を提供できるという効果を奏する。
【００４３】
また、請求項４にかかる発明によれば、映像コンテンツの予告編、商品説明、およびプ
ロモーションビデオのうち少なくとも１つを含むコマーシャル（ＣＭ）コンテンツ、ショートクリップ、およびプレゼンテーションなどをマルチメディアコンテンツから自動的に再構成できるマルチメディアコンテンツ再構成装置を提供できるという効果を奏する。
【００４４】
また、請求項５にかかる発明によれば、マルチメディアコンテンツを再構成するための
テンプレートおよび音楽データを設定して、利用目的および利用環境情報に基づいてマル
チメディアコンテンツ素材を検索して再構築するので、効率よく利用目的と利用環境に適
合して再構成された音楽情報を含むマルチメディアコンテンツを自動的に再構成できるマ
ルチメディアコンテンツ再構成装置を提供できるという効果を奏する。
【００４５】
また、請求項６にかかる発明によれば、利用環境における表示画面でのレイアウト、各
素材コンテンツのタイムライン、およびコンテンツ切り替え時のエフェクト情報を含むテ
ンプレートを蓄積するテンプレートＤＢを、さらに備えて、テンプレートＤＢからユーザ
はテンプレートを選択できるので、ユーザの嗜好性により適合したコンテンツを、マルチ
メディアコンテンツから自動的に再構成できるマルチメディアコンテンツ再構成装置を提
供できるという効果を奏する。
【００４６】
また、請求項７にかかる発明によれば、ユーザによるテンプレート設定入力により新た
なテンプレートがテンプレートＤＢに蓄積され、かつ、蓄積されたテンプレートを組み合
わせて新たにテンプレートを生成してテンプレートＤＢにさらに蓄積するので、ユーザの
嗜好性により適合した選択肢の多いテンプレートを使用して、コンテンツをマルチメディ
アコンテンツから自動的に再構成できるマルチメディアコンテンツ再構成装置を提供でき
るという効果を奏する。
【００４７】
また、請求項８にかかる発明によれば、音楽情報を蓄積する音楽情報ＤＢを、さらに備
えて、音楽情報ＤＢから選択して表示した音楽情報からユーザが選択できるので、ユーザ
の音楽嗜好性により適合したコンテンツをマルチメディアコンテンツから自動的に再構成
できるマルチメディアコンテンツ再構成装置を提供できるという効果を奏する。
【００４８】
また、請求項９にかかる発明によれば、ＢＧＭ（バックグラウンドミュージック）を設
定できるので、ユーザの音楽嗜好性により適合したコンテンツをマルチメディアコンテン
ツから自動的に再構成できるマルチメディアコンテンツ再構成装置を提供できるという効
果を奏する。
【００４９】
また、請求項１０にかかる発明によれば、マルチメディアコンテンツ素材およびそのイ
ンデックス情報を蓄積するマルチメディアコンテンツ素材ＤＢを、さらに備え、利用目的
情報および利用環境情報に基づいて、マルチメディアコンテンツ素材ＤＢからマルチメデ
ィアコンテンツ素材を抽出するので、コンテンツを多種多様なマルチメディアコンテンツ
から的確に自動的に再構成できるマルチメディアコンテンツ再構成装置を提供できるとい
う効果を奏する。
【００５０】
また、請求項１１にかかる発明によれば、マルチメディアコンテンツ素材の検索におい
て、キーワードとキーワードの重要度、画像情報と画像情報の重要度、映像情報と映像情
報の重要度、および音声情報と音声情報の需要度を抽出し、抽出されたそれぞれの情報を
それぞれの重要度に基づいてマルチメディアコンテンツを再構成するので、それぞれの重
要なメディアコンテンツから重要な部分を自動的に再構成できるマルチメディアコンテン
ツ再構成装置を提供できるという効果を奏する。
【００５１】
また、請求項１２にかかる発明によれば、マルチメディアコンテンツ素材ＤＢからキー
ワードを抽出して重要度を設定するとともに、ユーザによるキーワードの変更が可能であ
るので、マルチメディアコンテンツを抽出するキーワードを自動的に設定したとしてもユ
ーザのニーズによって変更できるので、ユーザのニーズにより適合したコンテンツをマル
チメディアコンテンツから自動的に再構成できるマルチメディアコンテンツ再構成装置を
提供できるという効果を奏する。
【００５２】
また、請求項１３にかかる発明によれば、画像抽出に際して、画像の特徴による重要度
、キーワードによる重要度、およびユーザによる画像重要度の設定の少なくとも１つに基
づいておこなうので、重要な画像を抽出でき、しかもユーザが重要度を変更できるので、
ユーザのニーズにより適合したコンテンツを画像コンテンツから自動的に再構成できるマ
ルチメディアコンテンツ再構成装置を提供できるという効果を奏する。
【００５３】
また、請求項１４にかかる発明によれば、再構成するコンテンツのサイズを設定して、該設定サイズに基づいて画像の抽出方法を選択することができるので、設定したサイズに基づいて最適な抽出方法を採ることができ、生成効率が高く、ユーザのニーズにより適合したコンテンツを自動的に再構成できるマルチメディアコンテンツ再構成装置を提供できるという効果を奏する。
【００５４】
また、請求項１５にかかる発明によれば、映像抽出に際して、映像の特徴による重要度
、キーワードによる重要度、ユーザによる映像重要度の設定、および画像認識による画像切り出しの少なくとも１つに基づいて行うので、重要な映像を抽出でき、しかもユーザが重要度を変更できるので、ユーザのニーズにより適合したコンテンツを映像コンテンツから自動的に再構成できるマルチメディアコンテンツ再構成装置を提供できるという効果を奏する。
【００５５】
また、請求項１６にかかる発明によれば、再構成するコンテンツのサイズを設定して、該設定サイズに基づいて映像の抽出方法を選択することができるので、設定したサイズに基づいて最適な抽出方法を採ることができ、生成効率が高く、ユーザのニーズにより適合したコンテンツを自動的に再構成できるマルチメディアコンテンツ再構成装置を提供できるという効果を奏する。
【００５６】
また、請求項１７にかかる発明によれば、音声抽出に際して、音声の重要度、キーワー
ドによる重要度、ワードスポッティング技術による重要度、ユーザによる音声の重要度の設定、および音声の切り目によるきりだしの少なくとも１つに基づいて行うので、重要な音声を抽出でき、しかもユーザが重要度を変更できるので、ユーザのニーズにより適合したコンテンツを音声コンテンツから自動的に再構成できるマルチメディアコンテンツ再構成装置を提供できるという効果を奏する。
【００５７】
また、請求項１８にかかる発明によれば、再構成するコンテンツのサイズを設定して、該設定サイズに基づいて音声の抽出方法を選択することができるので、設定したサイズに基づいて最適な抽出方法を採ることができ、生成効率が高く、ユーザのニーズにより適合したコンテンツを自動的に再構成できるマルチメディアコンテンツ再構成装置を提供できるという効果を奏する。
【００５８】
また、請求項１９にかかる発明によれば、再構成されるマルチメディアコンテンツのユ
ーザに対して、マルチメディアコンテンツ素材の少なくとも一部分を表示させないように
設定できるので、ユーザに表示したくない部分を表示しないマルチメディアコンテンツを
自動的に再構成できるマルチメディアコンテンツ再構成装置を提供できるという効果を奏
する。
【００５９】
また、請求項２０にかかる発明によれば、キーワードの抽出、画像の抽出、映像の抽出
、および音声の抽出のうちから抽出するメディアの重要度の優先順位を設定するので、ユ
ーザのニーズに適合してメディアに重要度の差異を付けてマルチメディアコンテンツを自
動的に再構成するマルチメディアコンテンツ再構成装置を提供できるという効果を奏する
。
【００６０】
また、請求項２１にかかる発明によれば、再構成されて利用されるマルチメディアコン
テンツの利用目的およびＰＣなどの利用環境情報を設定し、設定された利用目的情報およ
び利用環境情報に基づいて、マルチメディアコンテンツの素材を再構成するので、利用目
的と利用環境に適合したマルチメディアコンテンツを自動的に再構成できるマルチメディ
アコンテンツ再構成方法を提供できるという効果を奏する。
【００６１】
また、請求項２２にかかる発明によれば、利用目的の設定は、ＣＭとしての利用、ショートクリップとしての利用、および受動的視聴利用の少なくとも１つを含む利用目的情報をユーザが設定入力でき、また利用環境の設定は、携帯端末での利用およびテレビジョン端末での利用の少なくとも１つを含む利用環境情報をユーザが設定入力できるので、ユーザによる入力によって、例えば受動的にショートクリップを携帯端末で視聴できるようにマルチメディアコンテンツを自動的に再構成できるマルチメディアコンテンツ再構成方法を提供できるという効果を奏する。
【００６２】
また、請求項２３にかかる発明によれば、ユーザの利用目的情報および利用環境情報を
蓄積するユーザ情報データベースから、利用目的および利用環境を設定できるので、自動
的にユーザの利用する目的と環境に適合したマルチメディアコンテンツを自動的に再構成
できるマルチメディアコンテンツ再構成方法を提供できるという効果を奏する。
【００６３】
また、請求項２４にかかる発明によれば、請求項２１〜２３に記載のマルチメディアコ
ンテンツ再構成方法のいずれか１つをコンピュータに実行できマルチメディアコンテンツ
再構成プログラムを提供できるという効果を奏する。
【００６４】
また、請求項２５にかかる発明によれば、マルチメディアコンテンツを生成するマルチメディアコンテンツ生成装置と、生成されたマルチメディアコンテンツを利用目的に応じて再構成するマルチメディアコンテンツ再構成装置と、再構成されたマルチメディアコンテンツをネットワークを介して送信する送信サーバと、再構成されたマルチメディアコンテンツを受信する複数の情報端末と、を備えたマルチメディアコンテンツ配信システムであって、マルチメディアコンテンツ再構成装置は、利用目的についての利用目的情報の設定および利用される環境についての利用環境情報に基づいて、マルチメディアコンテンツを再構成するので、利用目的と利用環境に適合したマルチメディアコンテンツを自動的に再構成でして送信し、ユーザが視聴することができるマルチメディアコンテンツ配信システムを提供できるという効果を奏する。
【００６５】
また、請求項２６にかかる発明によれば、マルチメディアコンテンツ生成装置は、ＭＰＭｅｉｓｔｅｒ（Ｒ）であるので、再構成すべきマルチメディアコンテンツを効率的に生成でき、その結果、効率よく、利用目的と利用環境に適合したマルチメディアコンテンツを自動的に再構成でして送信し、ユーザが視聴することができるマルチメディアコンテンツ配信システムを提供できるという効果を奏する。
【００６６】
また、請求項２７にかかる発明によれば、情報端末は携帯電話であり、マルチメディアコンテンツ再構成装置において利用環境を携帯電話であると設定して再構成するので、携帯電話という利用環境に適合したマルチメディアコンテンツを自動的に再構成でして効率的に送信し、ユーザが視聴することができるマルチメディアコンテンツ配信システムを提供できるという効果を奏する。
【００６７】
また、請求項２８にかかる発明によれば、緊急情報の緊急配信や、周知徹底情報の配信や、プレゼンテーションコンテンツの配信に適した形でマルチメディアコンテンツを再構成するので、各用途に適合したマルチメディアコンテンツを自動的に再構成でして効率的に送信し、ユーザが視聴することができるマルチメディアコンテンツ配信システムを提供できるという効果を奏する。
【００６８】
また、請求項２９にかかる発明によれば、送信サーバは、再構成されたコンテンツを、予め設定されたスケジュールに基づいて配信するので、ユーザにとって利便性の高いマルチメディアコンテンツ配信システムを提供できるという効果を奏する。
【００６９】
また、請求項３０にかかる発明によれば、マルチメディアコンテンツのタイムラインを維持して再構成し、送信サーバは、再構成されたプレゼンテーションコンテンツを、タイムラインを保持して情報端末に配信するので、時間的な順序が正しく保たれた、ユーザにとって利便性の高いマルチメディアコンテンツ配信システムを提供できるという効果を奏する。
【００７０】
また、請求項３１にかかる発明によれば、再構成されたマルチメディアを表示するホームページをＷｅｂ上に備え、携帯端末からのダウンロードを受け付けるので、ユーザの要望に応じて情報を取得することができる効率と利便性の高いマルチメディアコンテンツ配信システムを提供できるという効果を奏する。
【発明を実施するための最良の形態】
【００７１】
以下に添付図面を参照して、この発明にかかるマルチメディアコンテンツ再構成装置、マルチメディアコンテンツ再構成方法、その方法をコンピュータに実行させるプログラム、およびマルチメディアコンテンツ配信システムの最良な実施の形態を詳細に説明する。
【００７２】
本発明の実施の形態によるマルチメディアコンテンツ再構成装置は、コマーシャル（ＣＭ）コンテンツのようなショートクリップの生成を目的とするマルチメディア（ＭＭ）コンテンツ再構成装置として具現化した形で説明する。ここでは、ＣＭのようなショートクリップを自動生成する具現化例を、以下、簡単にＣＭ自動生成装置と称する。以下の説明においてＣＭ自動生成装置と称して説明するが、このＣＭ自動生成装置が自動生成するＭＭコンテンツはＣＭに限定されるものではなく、ＣＭのようなショートクリップ、プレゼンテーション及びその一部、災害の発生などの緊急情報、企業体などにおける周知徹底事項についての周知徹底情報、天気予報、ニュース番組、あるいは交通情報などをも含めて所謂ＭＭコンテンツを再構成して生成するものである。
【００７３】
以下においては説明と簡略化するために、マルチメディアコンテンツ再構成の例として、主にＣＭコンテンツを自動生成することとして説明するが、しかしながら、本発明は、ＣＭコンテンツの自動生成に限定されるものではない。ＣＭ自動生成装置は本発明によるマルチメディアコンテンツ再構成装置の多種多様に具現化できる具現例の一つに過ぎないものである。
【００７４】
（１．実施の形態１）
図１は、本発明の実施の形態１によるＣＭ自動生成装置の機能的ブロック図である。実
施の形態１によるＣＭ自動生成装置（以下、本装置と称する）は、利用目的設定部１、利
用環境設定部２、コンテンツ再構成部３、操作表示部４、および記憶部５を備える。以下
マルチメディアコンテンツを、ＭＭコンテンツと称する。
【００７５】
利用目的設定部１は利用目的情報を設定し、利用環境設定部２は利用者がＣＭコンテン
ツを視聴する利用環境情報を設定し、コンテンツ再構成部３は利用目的設定部１によって
設定された利用目的情報および利用環境設定部２によって設定された利用環境情報に従っ
てＭＭコンテンツからＣＭコンテンツを再構成する。
【００７６】
コンテンツ再構成部３は、テンプレート設定部３１、ＢＧＭ設定部３２、素材検索部３
３、ＭＭコンテンツ再構築部３４を有する。
【００７７】
記憶部５は、ユーザプロファイルデータベース（ＤＢ）５１、ＣＭテンプレートＤＢ５
２、音楽素材ＤＢ５３、ＭＭ素材コンテンツＤＢ５４、およびＭＰＥＧ−７ＤＢ５５を有
する。
【００７８】
利用目的設定部１は、利用者がどのような目的にＭＭコンテンツを利用するかを設定す
る設定入力を受け付ける。利用者がＭＭコンテンツを利用する目的としてはＣＭとして視
聴したい、受動的に視聴したい、あるいは教材として視聴したいなど、利用者が本装置に
よって再構成されるＭＭコンテンツを実際に利用しようとする目的である。ここでは、利
用目的設定部１には、ＣＭコンテンツの生成を目的とする利用目的情報が入力されて受け
付けられる。
【００７９】
利用者は、操作表示部４を介して、利用目的としてＣＭコンテンツ生成目的の設定入力
を行う。操作表示部４はキーボード・マウスなど利用者が入力する入力装置と、液晶モニ
タなど利用者に対して情報を表示する表示装置（不図示）とを有する。
【００８０】
記憶部５には、利用者についての情報を蓄積したユーザプロファイルＤＢ５１が格納されている。利用目的設定部１は、ユーザプロファイルＤＢ５１にアクセスして、利用者の利用目的情報を取得する構成とすることができる。こうして、利用目的設定部１は、利用者が再構成するＭＭコンテンツの利用目的情報を設定することができるので、ＣＭコンテンツを生成する場合に、該利用目的情報に従って再構成することができる。
【００８１】
利用環境設定部２は、利用者が本装置によって再構成されるＭＭコンテンツ、この場合
は生成されるＣＭコンテンツを視聴する環境を設定する。利用者の視聴環境とは例えば、
携帯端末での視聴、ＴＶ端末での視聴、あるいはパソコン上での視聴などの視聴環境であ
る。利用環境設定部２は、利用者が環境情報の設定入力を行った場合、設定された入力を
受け付ける。利用者による環境情報の設定入力は、上述の利用情報の入力と同様、操作表
示部４を介して行う。
【００８２】
ここで上記ユーザプロファイルＤＢ５１は、利用環境情報を蓄積することができる。そ
の場合、利用環境設定部２は、利用者の利用環境情報をユーザプロファイルＤＢ５１にア
クセスし、利用環境情報を取得する構成とすることができる。
【００８３】
また、ユーザプロファイルＤＢ５１は、ユーザに関する種々の情報を蓄積し、以下に説
明する各処理部がアクセスして、各処理部が必要とする利用目的情報および利用環境情報
を含む情報を読み出して、読み出した情報に従って各機能を実行する構成とすることがで
きる。こうして、利用環境設定部２は、利用者のＰＣ端末などの利用環境情報を設定する
ことができるので、以下、ＣＭコンテンツを生成する場合に、該利用環境情報に従って再
構成することができる。
【００８４】
コンテンツ再構成部３は、利用目的設定部１で設定された目的情報に応じて、コンテン
ツを再構成する。それ故、本装置のコンテンツ再構成部３によるコンテンツの再構成は、
いわばＭＭコンテンツを「再目的化」すると解することができる。
【００８５】
ここで、ＭＭコンテンツ素材を生成するツールとして株式会社リコー（Ｒ）が既に発表
しているＭＰＭｅｉｓｔｅｒ（Ｒ）を用いて生成したＭＭコンテンツ素材を利用すること
ができる。ＭＰＭｅｉｓｔｅｒ（Ｒ）は、Ｍｉｃｒｏｓｏｆｔ（Ｒ）社のプレゼンテーシ
ョンツールであるＰｏｗｅｒＰｏｉｎｔ（Ｒ）によるファイルを元に、プレゼンテーショ
ン映像に自動的にインデックスを付していき、ＰｏｗｅｒＰｏｉｎｔ（Ｒ）と連動したＷ
ｅｂ公開用コンテンツを自動生成するツールである。
【００８６】
本実施の形態においては、コンテンツ再構成部３は、ＣＭコンテンツを生成するので、
例えば、１本の映画コンテンツに対する予告編などのＣＭコンテンツ、あるいはプレゼン
テーション全体のマルチメディア記録に対するＣＭコンテンツなどを生成する。
【００８７】
ここで、ＭＭコンテンツの各種加工技術としては、種々の技術が公知である。例えば特
開２０００−３３９３４５号公報の公知技術を用いると、放送されたコンテンツを検索す
る際に、的確なキーワードが分からない場合でも必要な検索ができる。また特開２００１
−２４９９６号公報の公知技術を用いると、デジタル衛星データ放送などによって配信さ
れたマークアップ言語形式のデータを視聴者（ユーザ）のニーズや好みに適合した表現形
式で提供できる。本実施の形態においてはＣＭコンテンツ生成のためにＭＭコンテンツを
検索し、ＣＭとして再構成を行うが、この検索の際に上記の公知技術を利用することがで
きる。
【００８８】
以下にコンテンツ再構成部３の有する各処理部について説明する。テンプレート設定部
３１は、ＣＭコンテンツの再構成に使用するＣＭテンプレートを操作表示部４に表示する
。コンテンツ再構成部３は、ＣＭテンプレートＤＢ５２を有する。ＣＭテンプレートは、
ＣＭコンテンツの自動生成において、画面のレイアウト、各素材コンテンツのタイムライ
ン、およびコンテンツ切り替え時のエフェクトを含む情報が予め設定されたテンプレート
である。ＣＭテンプレートＤＢ５２は、ＣＭテンプレートを蓄積している。
【００８９】
テンプレート設定部３１は、利用目的設定部１によって設定された利用目的および利用
環境設定部２によって設定された利用端末における利用環境情報に応じて、ＣＭテンプレ
ートＤＢ５２に蓄積されたテンプレートを自動的に選択し、操作表示部４に表示する。
【００９０】
利用者が、操作表示部４に表示されたテンプレートの中から気に入ったものを選択して
入力した場合、テンプレート設定部３１は、設定入力を受け付けて利用者の選択したテン
プレートを設定する。
【００９１】
あるいはここで、利用者が新たにＣＭテンプレートを操作表示部４を介して作成する構
成とすることができる。この場合、テンプレート設定部３１は新たに作成されたＣＭテン
プレートを受け付け、受け付けられたテンプレートは、利用者の選択入力があった場合、
新たに作成されたＣＭテンプレートを設定し、またテンプレートＤＢ５２に蓄積すること
ができる。
【００９２】
また、テンプレート設定部３１は、上述の利用目的情報および利用環境情報に応じて、
既存のテンプレートの部分を組み合わせて新しいテンプレートを生成し、組み合わせて新
たに生成されたテンプレートを操作表示部４に表示し、テンプレートＤＢ５２に蓄積する
構成とすることができる。
【００９３】
このようにして、ＣＭの雰囲気や構成など利用者の気に入ったテンプレートを、操作表
示部４を介して利用者に提案して、より広いＣＭコンテンツ生成の選択肢を提示すること
ができる。あるいはまた、提示してユーザの選択を待つまでもなく自動的にテンプレート
を決定する構成とすることもできる。
【００９４】
ＢＧＭ設定部３２は、ＣＭコンテンツの背景に流れるバックグラウンドミュージック（
ＢＧＭ）を設定する。コンテンツ再構成部３は、音楽データを蓄積する音楽素材ＤＢ５３
を備える。音楽素材ＤＢ５３は、通常、著作権フリーの音楽データを含む音楽データを蓄
積している。ＢＧＭ設定部３２は、音楽素材ＤＢ５３にアクセスし、ユーザプロファイル
ＤＢ５１から取得した利用者の嗜好情報に応じて、ＣＭコンテンツの雰囲気に適したＢＧ
Ｍを自動選択する機能、および利用者自身が音楽を選択して設定した場合、設定された入
力を受け付けることができる機能の両方の機能を有する。こうして、利用者が操作表示部
４を介して、提示されるＢＧＭを選択して入力することができ、あるいは自動的に利用目
的と利用環境情報を含む条件に従って自動的に選択することもできる。
【００９５】
素材検索部３３は、キーワード抽出部３３１、画像抽出部３３２、映像抽出部３３３、
および音声抽出部３３４を有する。これら素材検索部３３が有する各抽出部の機能を簡単
に述べると、キーワード抽出部３３１は、ＭＭコンテンツ素材におけるキーワード情報を
抽出して重要度を設定し、画像抽出部３３２は画像情報を抽出して重要度を設定し、映像
抽出部３３３は映像情報を抽出して重要度を設定し、音声抽出部３３４は音声情報を抽出
して重要度を設定する。
【００９６】
素材検索部３３はまた、ＣＭコンテンツ生成に必要な各種のＭＭ素材コンテンツを蓄積
するＭＭ素材コンテンツＤＢ５４を有する。ＭＭ素材コンテンツＤＢ５４に蓄積するＭＭ
コンテンツは、例えば既述のＭＰＭｅｉｓｔｅｒ（Ｒ）によって生成されたコンテンツ、
デジタル放送を受信することによって、あるいはＷｅｂページから取得したコンテンツを
蓄積することができる。
【００９７】
素材検索部３３は、ＭＭ素材コンテンツＤＢ５４にアクセスし、必要なＭＭコンテンツ
を検索して抽出する。素材検索部３３の有する各処理部の詳細は以下の通りである。
【００９８】
キーワード抽出部３３１は、ＭＭコンテンツ素材のインデックス情報を蓄積するＭＰＥ
Ｇ−７ＤＢ５５を有する。キーワード抽出部３３１は、ＭＭ素材コンテンツＤＢ５４およ
びＭＰＥＧ−７ＤＢ５５から、既存のキーワード抽出技術を利用して、自動的に重要なキ
ーワードを自動抽出する機能、利用者自身がキーワードを設定した場合、設定されたキー
ワードを受け付ける機能、あるいは自動抽出されたキーワードおよびその重要度に対する
利用者による変更を受け付ける機能を有する。ここで、キーワード抽出技術については、
上記の公知文献に示された技術を含めて種々の公知技術を用いて、コンテンツ素材の検索
を実現できる。こうして、キーワード抽出部３３１によって重要なキーワードによってＭ
Ｍコンテンツ素材を検索し抽出することができる。あるいはまた、例え的確なキーワード
が分からない場合であっても、一定程度の関連するＭＭコンテンツ素材を抽出することが
できる技術もある（既述）。
【００９９】
画像抽出部３３２は、公知技術である画像特徴判定技術、およびキーワード抽出部３３
１において抽出されたキーワードを使用して、画像の重要度を算出し、算出された重要度
に従って重要な画像を自動的に抽出する機能を有する。また、画像抽出部３３２は、利用
者自身が画像を選択する選択設定、あるいは自動的に抽出された画像およびその重要度を
変更する変更設定を受け付ける機能を有する。
【０１００】
映像抽出部３３３は、公知技術である映像特徴判定技術、およびキーワード抽出部３３
１において抽出されたキーワードを使用して、映像シーンの重要度を算出し、算出された
重要度に従って重要な映像シーンを自動的に抽出する機能を有する。また、映像抽出部３
３３は、利用者自身が映像を選択する選択設定、あるいは自動的に抽出された映像および
その重要度を変更する変更設定を受け付ける機能を有する。
【０１０１】
音声抽出部３３４は、公知技術である音声認識技術、およびワードスポッティング技術
を利用して音声の重要度を算出し、算出された重要度に従って重要な音声を自動抽出する
機能を有する。また、音声抽出部３３４は、利用者自身が音声の重要度を自ら設定する重
要度設定、あるいは自動抽出された音声およびその重要度を変更する変更設定を受け付け
る機能を有する。
【０１０２】
ＭＭコンテンツ再構築部３４は、テンプレート設定部３１で設定されたテンプレート、
ＢＧＭ設定部３２で設定されたＢＧＭ、および素材検索部３３で検索され抽出された素材
を、取得した利用目的情報と利用環境情報に応じて再構成し、ＣＭコンテンツを生成する
。ここでコンテンツを要約する技術としては、例えば特開２００２−２５９７２０号公報
に示された技術を用いることができる。また、特許文献１に示された技術を用いることもできる。
【０１０３】
図２は、ＭＭコンテンツ素材における画像、映像、および音声の重要度の解析を説明す
る図である。図２では、時間軸２０１に対して、画像２０２、映像２０３、および音声２
０４の各情報が提供されることが示されている。ここでイベント２０５、２０６、および
２０７として、プレゼンテーションソフトであるパワーポイント（Ｒ）の表示において、
ページをめくるなどのイベントによるイベント情報が適宜、メタデータとして提供されて
いる。映像、音声、および画像情報は、例えば、メタデータを利用したキーワード抽出や
画像認識、音声認識技術を利用して、それぞれの重要度が算出される。
【０１０４】
画像抽出部３３２における画像の重要度解析は、キーワード抽出部３３１によって抽出
されたキーワードを基にして、例えば前述の特許文献１に記載されている技術を利用して
、画像の重要度を算出する。あるいは、画像に対応するメタデータがキーワードと一致す
るか否かによって画像の重要度を算出することもできる。こうして、画像抽出部３３２に
よって重要な画像部分を含むＭＭコンテンツ素材を抽出することができる。
【０１０５】
映像抽出部３３３における映像の重要度解析では、シーンチェンジやズームインなどの
カメラの動きを解析し、重要度を算出する。こうして、映像抽出部３３３によって重要な
映像部分を含むＭＭコンテンツ素材を抽出することができる。
【０１０６】
音声抽出部３３４における音声の重要度解析では、キーワード抽出部３３１によって抽
出されたキーワードを基にしてワードスポッティング技術を適用し、キーワードを含む音
声重要度を上げる、あるいは該キーワードの音声以外の音が入っている部分の重要度を下
げる、あるいは複数名の音声が入っている部分の重要度を上げるなどのルールを適用する
。こうして、音声抽出部３３４によって重要な音声部分を含むＭＭコンテンツ素材を抽出
することができる。
【０１０７】
ＣＭコンテンツを生成する目的の場合、コンテンツを要約することに比較すると、素材
間の関連が低くても良い場合が多いので、素材ごとに重要度を解析し、各素材の重要度の
高い部分をＣＭ構成素材として選択することとしてもよい。もちろん、素材間の関連度を
算出し、抽出する素材の重要度を複合的に判定して決定することも可能である。
【０１０８】
図２に示すように、イメージ（画像）重要度、ビデオ（映像）重要度、および音声重要
度が高い部分２０８ａ〜ｆが抽出されて、ＭＭコンテンツ再構築部３４によって再構築さ
れて、ＣＭコンテンツが自動的に生成される。
【０１０９】
図３は、実施の形態１によるＣＭ自動生成装置がＣＭを自動的に生成する手順を示すフ
ローチャートである。ユーザは、ＭＭコンテンツの利用目的情報を操作表示部４を介して
入力する。利用目的設定部１は、ＭＭコンテンツの利用目的設定入力を受け付けたか否か
を判定し（ステップＳ１０１）、受け付けたと判定した場合（ステップＳ１０１のＹｅｓ
）、利用目的設定部１は利用目的情報がＣＭか否かを判定（ステップＳ１０２）する。
【０１１０】
利用目的設定部１は、利用目的情報がＣＭコンテンツの生成であると判定した場合（ス
テップＳ１０２のＹｅｓ）、利用環境設定部２は、利用環境情報の設定入力を受け付けた
か否かを判定し（ステップＳ１０３）、受け付けたと判定した場合（ステップＳ１０３の
Ｙｅｓ）、コンテンツ再構成部３のテンプレート設定部３１は、受け付けた利用目的情報
および利用環境情報に基づいて該当するテンプレートを選択し、操作表示部４に表示する
（ステップＳ１０４）。
【０１１１】
ユーザは操作表示部４に表示されたテンプレートを採用するか否かを選択することがで
きる。操作表示部４は、利用者による選択を示す設定入力を受け付けたか否かを判定し（
ステップＳ１０５）、受け付けたと判定した場合（ステップＳ１０５のＹｅｓ）、素材検
索部３３は該テンプレートに従ってコンテンツ素材を検索する（ステップＳ１０６）。一
方、一定時間受け付けなかったと判定した場合（ステップＳ１０５のＮｏ）、利用者によ
るテンプレート生成入力を受け付け（ステップＳ１０７）、さらに利用者によって新たに
生成されたテンプレートの登録設定入力を受け付けるか否かを判定し（ステップＳ１０８
）、受け付けなかったと判定した場合はそのままで（ステップＳ１０８のＮｏ）、受け付
けたと判定した場合は（ステップＳ１０８のＹｅｓ）受け付けられた新テンプレートを登
録し（ステップＳ１０９）、いずれの場合においても、ユーザによって設定されたテンプ
レートに従って素材検索部３３はコンテンツ素材を検索する（ステップＳ１０６）。
【０１１２】
素材検索部３３は、素材を検索できたか否かを判定し（ステップＳ１１０）、一定時間
内に検索できなかった場合（ステップＳ１１０のＮｏ）そのまま終了し、検索できた場合
（ステップＳ１１０のＹｅｓ）、キーワード抽出部３３１はキーワードの設定入力を受け
付けたか否かを判定し（ステップＳ１１１）、受け付けた場合（ステップＳ１１１のＹｅ
ｓ）、画像抽出部３３２は、キーワードを使用して、画像の重要度を算出して画像を自動
抽出する（ステップＳ１１２）。ここでキーワードは、利用者が入力して受け付けること
によって設定される場合も、あるいは利用目的情報と利用環境情報から、ユーザプロファ
イルＤＢ５１に自動的にアクセスして設定する場合もある。
【０１１３】
ＢＧＭ設定部３２は、キーワードを使用して、ＢＧＭとなる音楽情報を自動抽出する（
ステップＳ１１３）。映像抽出部３３３は、キーワードを使用して、映像シーンの重要度
を算出し、算出された重要度に従って重要な映像シーンを自動抽出する（ステップＳ１１
４）。音声抽出部３３４部は、キーワード、およびワードスポッティング技術を利用して
音声の重要度を算出し、算出された重要度に従って重要な音声を自動抽出する（ステップ
Ｓ１１５）。
【０１１４】
ＭＭコンテンツ再構築部３４は、テンプレート設定部３１で設定されたテンプレート上
で、ＢＧＭ設定部３２で設定されたＢＧＭ、および素材検索部３３で検索されて抽出され
た画像、映像、音声情報を含む素材を、取得した利用目的情報と利用環境情報に従って再
構成し、ＣＭコンテンツを再構築して生成する（ステップＳ１１６）。
【０１１５】
図４は、ＣＭコンテンツ生成テンプレートのヘッダ部分の１例を示す模式図である。図
４に示されたＣＭテンプレートの一部４００は、ヘッダ部４１０、レイアウト設定部４２
０、およびエフェクト設定部４３０を備えて構成されている。
【０１１６】
ヘッダ部４１０は、コピーライト情報を含む。レイアウト設定部４２０は、ＣＭを構成
する画面領域（Ｒｅｇｉｏｎと呼んでいる）のレイアウト情報（領域の識別子、場所、サ
イズ、画面上での表示順序など）を含む。エフェクト設定部４３０は、エフェクト情報（
フェードイン・アウト、ズームイン・アウトなど）を設定する。
【０１１７】
図５は、ＣＭコンテンツ生成テンプレートのボディ部分の一例を示す模式図である。Ｃ
Ｍボディ部分５００は、ＣＭを構成する素材やシーンの構成を定義し、ＣＭ全体の長さお
よびＢＧＭを設定し、また画面上に表示されるシーンの情報などを記述する。シーン定義
部５０２は、Ｄｕｒａｔｉｏｎ（時間間隔）を定義し、ヘッダ部のレイアウト情報を参照
する。シーン定義部５０２の各シーンの定義５１０、５２０、５３０、５４０、および５
５０によって、対応するシーン１、２、３、４、および５が生成される。各シーン１〜５
の表示時間は、ＣＭ開始時間を０とした値で詳細に示されているが、シーンごとのシーン
開始時間を０とした相対的な値として記述することも可能である。
【０１１８】
ＣＭテンプレートは、ヘッダ部とＣＭボディ部が同一ファイルとして記述可能であるが
、一方、別ファイルとしても記述可能である。
【０１１９】
図６は、図４および５で示されたテンプレートを利用して、マルチメディアコンテンツ
素材から再構成して生成されたＣＭコンテンツを示した模式図である。ここで、本装置が
利用するマルチメディアコンテンツ素材は、ＭＰＭｅｉｓｔｅｒ（Ｒ）が生成したコンテ
ンツ素材であって、本装置が再構成してＣＭコンテンツ６００を生成した。テンプレート
のＣＭボディ部分の記述に従って、レイアウトされたシーンが生成されて、ＢＧＭ６１０
およびビデオを含むシーン６２０を備えている。
【０１２０】
このようにして実施の形態１によるＣＭ自動生成装置は、ユーザが利用目的および端末
などの利用環境情報を入力することにより、あるいは既に蓄積されているユーザの利用目
的および端末などの利用環境情報を装置が自動的に読み取ることにより、ユーザの利用目
的および利用環境に従ってＭＭコンテンツ素材を再構成してＣＭコンテンツを自動的に生
成することができる。
【０１２１】
（２．実施の形態２）
実施の形態２が実施の形態１と異なる点は、マルチメディアコンテンツ素材に対して利
用制限を課する利用制限部を備え、コンテンツ再構成部は、利用制限部によって利用が制
限されたマルチメディアコンテンツ素材を使用しないことである。この構成によって、ユ
ーザによる利用制限入力を受け付け、あるいはユーザプロファイルＤＢ５１の情報に従っ
て、ＣＭコンテンツに含めないように設定されたＭＭコンテンツを除外して、ＣＭコンテ
ンツを自動的に生成することができる。
【０１２２】
図７は、実施の形態２によるＣＭ自動生成装置の機能的ブロック図である。コンテンツ
再構成部３０は、利用制限部３５を備える。
【０１２３】
利用制限部３５は、ユーザによってＣＭコンテンツに含めたくない各種の情報が入力さ
れた場合、該入力情報を受け付ける。利用制限部３５は、例えば、含めたくない情報をキ
ーワードとして受け付ける。あるいは、予めユーザプロファイルＤＢ５１に利用制限が課
されたキーワードが蓄積されていて、蓄積されている利用制限キーワード情報を取得する
。本実施の形態によるコンテンツ再構成部３０は、利用制限部３５にアクセスし、利用制
限が課されている情報を、例えばキーワードの形で取得して、再構成の対象から除外する
。
【０１２４】
手順についての図示は省略するが、図３に示したステップＳ１０６の直前に、利用制限
部３５による利用制限情報の入力を受け付ける。この利用制限情報の入力を受け付けるス
テップを挿入することによって、実施の形態２によるＣＭ自動生成装置による自動生成手
順が実行できる。
【０１２５】
このようにして、実施の形態２によるＣＭ自動生成装置は、ユーザの入力、あるいはユ
ーザに関するデータベースに基づいて、生成するＣＭに含めたくないＭＭコンテンツ素材
を除外して再構成してＣＭコンテンツを自動生成することができるので、不快なあるいは
社会的に不健全な内容を除外し、一定の価値観の範囲内に収まる個人的にも社会的にも健
全なＣＭコンテンツを自動的に生成することができる。
【０１２６】
（３．実施の形態３）
実施の形態３が実施の形態１と異なる点は、コンテンツ再構成部の素材検出部において
、ＭＭコンテンツ素材を抽出する際に、それぞれの抽出部が算出する重要度に差異を設け
ることである。このために、実施の形態３によるＣＭ自動生成装置では、それぞれの抽出
部が抽出する重要度を設定する抽出優先度設定部３６を備えたことである。この構成によ
って、実施の形態３によるＣＭコンテンツ自動生成装置は、ＭＭコンテンツを抽出する場
合において、画像、映像および音声情報の中から、ユーザが重要視するものを優先的に採
用できるので、同じＭＭコンテンツであっても、特定の種類の情報を重点的に抽出して、
例えば画像の多いＣＭコンテンツを自動生成することができる。
【０１２７】
図８は、実施の形態３によるＣＭ自動生成装置の機能的ブロック図である。実施の形態
３によるコンテンツ再構成部３０ａは、抽出優先度設定部３６を備える。抽出優先度設定
部３６は、ユーザによってＣＭコンテンツとして優先する種類のコンテンツの順位情報が
入力された場合、該優先順位情報を受け付ける。そして、ＭＭコンテンツ再構築部３４は
、抽出優先度設定部３６によって設定された優先度に従って、各抽出されたＭＭコンテン
ツを再構築する。この結果、抽出優先度設定部３６は、例えば、映像メディアの優先度を
高く設定されている場合、映像メディアが多いＣＭコンテンツが生成される。あるいは、
予めユーザプロファイルＤＢ５１に個人情報として優先順位情報が蓄積されていた場合、
蓄積された優先順位情報を受け付ける構成としても良い。
【０１２８】
実施の形態３によるＣＭ自動生成手順についての図示は省略するが、例えば、図３に示
したステップＳ１１６の直前に、抽出優先度設定部３６による優先度情報を受け付ける。
この抽出優先順位情報を受け付けるステップを挿入することによって、実施の形態３によ
るＣＭ自動生成装置による自動生成手順が実行できる。
【０１２９】
このようにして、実施の形態３によるＣＭ自動生成装置は、ユーザの設定入力、あるい
はユーザに関するデータベースに基づいて、生成するＣＭに含める種類のコンテンツの量
を変化させてＣＭを自動生成することができるので、例えば映像の優先順位が高い場合映
像のメディアを多く含むユーザの嗜好性をより多く反映可能なＣＭを自動的に生成するこ
とができる。
【０１３０】
（４．実施の形態４）
実施の形態４によるＣＭ自動生成装置が実施の形態１と異なる点は、コンテンツ再構成部の素材検出部において、ＭＭコンテンツ素材を抽出する際に、抽出すべき対象の情報の切れ目を検出することによって分割して抽出することである。これにより、情報の切れ目という簡便な方法によって、効率的かつ的確にＭＭコンテンツを分割して抽出することができる。
【０１３１】
また、他の異なる点は、例えば操作表示部などから再構成されるＭＭコンテンツのサイズが指定入力された場合、利用目的設定部あるいは利用環境設定部が指定入力を受け付け、コンテンツ再構成部は、各抽出部に対して、指定されたサイズに基づいて、分割を含む抽出方法を選択させて各ＭＭ情報を抽出することである。これにより、利用環境、例えば携帯電話機であるというような利用環境に適したサイズに基づいた抽出及び再構成を行うことによって、より配信に適した実用性の高いコンテンツを生成できる。
【０１３２】
図９は、実施の形態４によるＣＭ自動生成装置の機能的ブロック図である。図１０は、実施の形態４によるＣＭ自動生成装置において、ＭＭコンテンツを分割して抽出することを説明する図である。
【０１３３】
実施の形態４によるコンテンツ再構成部３０ｂの素材検索部３３ｂにおいて、画像抽出部３３２ｂ、映像抽出部３３３ｂ、および音声抽出部３３４ｂは、各抽出すべき情報の切れ目を検出して抽出する。図１０は、プレゼンテーションコンテンツの一部を切り出す実施例である。プレゼンテーションの切り出しの場合は、重要な部分を抽出するためではなく、切れ目のタイミングを探すために、各種認識技術を利用する。たとえば音声の明確な切れ目があった場合、音声の切れ目を切り出しのタイミングとする。あるいは、スライド（画像）の切り替えタイミングを切り出しタイミングとする。あるいは、動画の特徴量が大きく変化した場所を切り出しタイミングとする。ここで、切り出す際に、部分コンテンツのサイズが設定されていた場合、設定されたサイズに従って、あるいはまた、最大サイズを超えないように調整して切り出していく。
【０１３４】
画像抽出部３３２ｂは、ＭＭコンテンツのうち画像情報１００２ａを、時間軸１００１で見た両側において発生する画像の切れ目を検出して、分割し、抽出する。また、映像抽出部３３３ｂは、ＭＭコンテンツのうち映像情報１００３ａを、時間軸１００１で見た両側において発生する画像の切れ目を検出して、分割し、抽出する。また、音声抽出部３３４ｂは、ＭＭコンテンツのうち音声情報１００４ａを、時間軸１００１で見た両側において発生する画像の切れ目を検出して、分割し、抽出する。
【０１３５】
ここで各抽出部は、所定のサイズに従って、各抽出部が抽出する情報の抽出方法を選択することが望ましい。実施の形態１〜３に説明された方法、および４において説明された情報の切れ目によって分割する方法の中から、所定のサイズに最も適した方法を採用して抽出する。また、利用環境設定部および利用目的設定部によって設定された情報に従って、最も適した抽出方法を選択することが望ましい。
【０１３６】
ここで、上記各抽出部は、設定されたサイズに従って算出された最大サイズを超えないように選択する。ＭＭコンテンツ再構築部３４は、各抽出部によって抽出されたＭＭコンテンツを所定のサイズを超えないように再構築することが望ましい。ここで、ＭＭコンテンツ再構成部３４ｂは、再構築するＭＭコンテンツ自体のサイズに従って算出された閾値を使用して、配信対象となる再構築コンテンツのサイズを制限して再構築することができる。
【０１３７】
実施の形態４によるＣＭ自動生成手順についての図示は省略するが、例えば、図３に示したステップＳ１１１において、キーワード及び再構成された後のＭＭコンテンツの最大サイズの設定入力を受け付けたか否かを検出し、ステップＳ１１２〜Ｓ１１５においては各情報の抽出はサイズに従った抽出とし、Ｓ１１６においては抽出された各ＭＭコンテンツを指定された最大サイズに従って選択して再構成する。
【０１３８】
この実施の形態４によるＣＭ自動生成装置によると、情報の切れ目を検出することによってＭＭコンテンツを分割して抽出できるので、簡便、効率的、そして的確にＭＭコンテンツを再構成できる。また、再構成されるＭＭコンテンツのサイズを指定して抽出方法を選択し、また利用環境に適したサイズに従って再構成を行うので、より実際の配信に適した実用性の高いコンテンツを自動的に再構成できるＣＭ自動生成装置となる。
【０１３９】
（５．実施の形態５）
図１１は、実施の形態５によるＭＭコンテンツ配信システムの機能的ブロック図である。実施の形態５によるＭＭコンテンツ配信システムは、ネットワーク１１０７によって接続されたＭＭコンテンツ生成装置１１０１、ＭＭコンテンツ再構成装置１１０２、コンテンツ配信サーバ１１０３、携帯電話１１０４〜１１０６を備える。
【０１４０】
ネットワーク１１０７はインターネット、ＬＡＮ、および携帯電話網を備えて成る。ＭＭコンテンツ生成装置１１０１は、ＭＭコンテンツを生成するものであって、ここではＭＰＭｅｉｓｔｅｒ（Ｒ）を適用する。ＭＭコンテンツ再構成装置１１０２は、ここでは実施の形態１によるＣＭ自動生成装置を適用する。コンテンツ配信サーバ１１０３は、ＭＭコンテンツ再構成装置１１０２によって再構成されたＭＭコンテンツを受信し、ネットワーク１１０７を介して、携帯電話１１０４〜１１０６に配信する。携帯電話１１０４〜１１０６は配信された再構成されているＭＭコンテンツを受信し、ユーザは視聴することができる。ここで、携帯電話の個数は特に限定するものでなく、通常複数である。又一般に、携帯電話に限らず端末、あるいは携帯端末でも適用できる。
【０１４１】
この構成によって、ＭＭコンテンツ生成装置１１０１によって生成されたＭＭコンテンツを基にして、ＭＭコンテンツ再構成装置１１０２がＭＭコンテンツを再構成し、コンテンツ配信サーバ１１０３がネットワーク１１０７を介して配信することによって、視聴者は携帯電話１１０４〜１１０６を介して、再構成されて通常時間的に短縮されてまとまった、例えばＣＭ、あるいはＣＭのようなショートクリップを視聴することができる。
【０１４２】
図１２〜１４は、実施の形態５によるＭＭコンテンツ配信システムの実施例を説明する図である。図１２に示した例は、災害など緊急情報を配信する場合の例である。事故や災害などのトラブルが発生した場合、その場で撮影された、あるいは放送で流された画像や映像に対して、文章を付加して、例えば数行のテキストが付加された素材を作成する。ＭＰＭｅｉｓｔｅｒ（Ｒ）１１０１ａを利用して、基本的な元素材を作成して送信し、受信したＭＭコンテンツ再構成装置１１０２ａは、携帯端末に配信するための緊急情報であるショートクリップを自動生成する。自動生成されたショートクリップをコンテンツ配信サーバ１１０３ａが携帯電話網１１０７を介して、携帯電話１１０４および１１０５に配信する。
【０１４３】
ここで、緊急性の高い緊急情報は、優先的にコンテンツ配信サーバ１１０３ａが配信するよう設定しておくことが望ましい。あるいは、夜のうちにコンテンツ配信サーバ１１０３ａに登録して配信し、ユーザは次の日の朝に取得できる。
【０１４４】
また、図１３に示した例は、セキュリティの高い情報や、コンプライアンスなど、周知徹底したい情報を生成して配信する場合の例である。予め準備された配信コンテンツ用の資料から、ＭＰＭｅｉｓｔｅｒ（Ｒ）１１０１ｂを用いてＭＭコンテンツが作成され、ＭＭコンテンツ再構成装置１１０２ｂに送信され、周知徹底情報を目的として設定して生成された再構成ＭＭコンテンツが、コンテンツ配信サーバ１１０３ｂを介して、携帯電話１１０４および１１０５に配信される。
【０１４５】
ここで、配信日や配信時間を指定してコンテンツ配信サーバ１１０３ｂに登録することにより、スケジュールに従って配信することとしてもよい。また、メールなどでコンテンツの存在とそのＵＲＬ（Ｕｎｉｆｏｒｍ  Ｒｅｓｏｕｒｃｅ  Ｌｏｃａｔｏｒ）を利用者の端末に通知するなどして、実際のコンテンツへのアクセスを誘導する配信方式も適用できる。
【０１４６】
また、図１４に示した例は、プレゼンテーションコンテンツの部分コンテンツを分割して配信する場合例である。ＭＰＭｅｉｓｔｅｒ（Ｒ）１１０１ｃを利用して制作したプレゼンテーションコンテンツをコンテンツ再構成装置１１０２ｃによって再構成処理すると、図１０で示した分割処理によって、部分的なＭＭコンテンツが生成され、再構成される。再構成されたＭＭコンテンツはコンテンツ配信サーバ１１０３ｃに送信され、登録されるようにしておく。コンテンツ配信サーバ１１０３ｃはプレゼンテーションのタイムラインを保ちながら、毎日（たとえば週５日）、一つのプレゼンテーションの部分コンテンツを利用者の携帯電話１１０４および１１０５に配信する。
【０１４７】
実施の形態５によるＭＭコンテンツ配信システムによって、ＭＰＭｅｉｓｔｅｒ（Ｒ）などによって生成されたＭＭコンテンツを基にして、ＭＭコンテンツ再構成装置がＭＭコンテンツを再構成し、コンテンツ配信サーバが視聴者の携帯電話などの携帯電話に配信されるので、再構成されて短縮されてまとまったショートクリップを、即座にあるいは定期的に視聴することができる。
【０１４８】
（６．実施の形態によるＣＭ自動生成装置のハードウェア構成）
図１５は、実施の形態によるＣＭ自動生成装置のハードウェア構成図である。本実施の形態のＣＭコンテンツ自動生成装置は、ＣＰＵ１５０１などの制御装置と、ＲＯＭ（Ｒｅａｄ  Ｏｎｌｙ  Ｍｅｍｏｒｙ）１５０２やＲＡＭ１５０３などの記憶装置と、ＨＤＤ１５０４、ＣＤドライブ装置などの外部記憶装置と、ディスプレイ装置などの表示装置１５０５、１５１１と、キーボード１５１２、マウス１５１３、および入力インタフェース１５０６などの入力装置を備えており、通常のコンピュータを利用したハードウェア構成となっている。
【０１４９】
本実施形態のＣＭコンテンツ自動生成装置で実行されるＣＭコンテンツ自動生成プログ
ラムは、インストール可能な形式又は実行可能な形式のファイルでＣＤ−ＲＯＭ、フレキ
シブルディスク（ＦＤ）、ＣＤ−Ｒ、ＤＶＤ（Ｄｉｇｉｔａｌ  Ｖｅｒｓａｔｉｌｅ  Ｄ
ｉｓｋ）等のコンピュータで読み取り可能な記録媒体に記録されて提供される。
【０１５０】
また、本実施形態のＣＭコンテンツ自動生成装置で実行されるＣＭコンテンツ自動生成
プログラムを、インターネット等のネットワークに接続されたコンピュータ上に格納し、
ネットワーク経由でダウンロードさせることにより提供するように構成しても良い。また
、本実施形態のＣＭコンテンツ自動生成装置で実行されるＣＭコンテンツ自動生成プログ
ラムをインターネット等のネットワーク経由で提供または配布するように構成しても良い
。
【０１５１】
また、本実施形態のＣＭコンテンツ自動生成プログラムを、ＲＯＭ等に予め組み込んで
提供するように構成してもよい。
【０１５２】
本実施の形態のＣＭコンテンツ自動生成装置で実行されるＣＭコンテンツ自動生成プロ
グラムは、上述した各部を含むモジュール構成となっており、実際のハードウェアとして
はＣＰＵ（プロセッサ）１５０１が上記記憶媒体からＣＭコンテンツ自動生成プログラム
を読み出して実行することにより上記各部が主記憶装置上にロードされ、各部が主記憶装
置上に生成されるようになっている。
【産業上の利用可能性】
【０１５３】
以上のように、本発明にかかるマルチメディアコンテンツ再構成装置、マルチメディア
コンテンツ再構成方法、その方法をコンピュータに実行させるプログラム、およびマルチメディアコンテンツ配信システムは、マルチメディアコンテンツ生成技術に有用であり、特に、マルチメディア素材から自動的に再構成したマルチメディアコンテンツを生成する技術に適している。
【図面の簡単な説明】
【０１５４】
【図１】本発明の実施の形態１によるＣＭ自動生成装置の機能的ブロック図である。
【図２】ＭＭコンテンツ素材における画像、映像、および音声の重要度の解析を説明する図である。
【図３】実施の形態１によるＣＭ自動生成装置がＣＭを自動的に生成する手順を示すフローチャートである。
【図４】ＣＭコンテンツ生成テンプレートのヘッダ部分の一例を示す模式図である。
【図５】ＣＭコンテンツ生成テンプレートのボディ部分の一例を示す模式図である。
【図６】図４および５で示されたテンプレートを利用して、マルチメディアコンテンツ素材から再構成して生成されたＣＭコンテンツを示した模式図である。
【図７】実施の形態２によるＣＭ自動生成装置の機能的ブロック図である。
【図８】実施の形態３によるＣＭ自動生成装置の機能的ブロック図である。
【図９】実施の形態４によるＣＭ自動生成装置の機能的ブロック図である。
【図１０】実施の形態４によるＣＭ自動生成装置において、ＭＭコンテンツを分割して抽出することを説明する図である。
【図１１】実施の形態５によるＭＭコンテンツ配信システムの機能的ブロック図である。
【図１２】実施の形態５によるＭＭコンテンツ配信システムの実施例を説明する図である。
【図１３】実施の形態５によるＭＭコンテンツ配信システムの実施例を説明する図である。
【図１４】実施の形態５によるＭＭコンテンツ配信システムの実施例を説明する図である。
【図１５】実施の形態によるＣＭ自動生成装置のハードウェア構成図である。
【符号の説明】
【０１５５】
１  利用目的設定部
２  利用環境設定部
３  コンテンツ再構成部
４  操作表示部
５  記憶部
３１  テンプレート設定部
３２  ＢＧＭ設定部
３３  素材検索部
３４  ＭＭコンテンツ再構築部
３５  利用制限部
３６  抽出優先度設定部
５１  ユーザプロファイルＤＢ
５２  ＣＭテンプレートＤＢ
５３  音楽素材ＤＢ
５４  ＭＭ素材コンテンツＤＢ
５５  ＭＰＥＧ−７ＤＢ
３３１  キーワード抽出部
３３２  画像抽出部
３３３  映像抽出部
３３４  音声抽出部
１１０１  ＭＭコンテンツ生成装置
１１０２  ＭＭコンテンツ再構成装置
１１０３  コンテンツ配信サーバ
１１０４、１１０５、１１０６  携帯電話
１１０７  ネットワーク
【図１】
2006005895.tif 000003
【図２】
2006005895.tif 000004
【図３】
2006005895.tif 000005
【図４】
2006005895.tif 000006
【図５】
2006005895.tif 000007
【図６】
2006005895.tif 000008
【図７】
2006005895.tif 000009
【図８】
2006005895.tif 000010
【図９】
2006005895.tif 000011
【図１０】
2006005895.tif 000012
【図１１】
2006005895.tif 000013
【図１２】
2006005895.tif 000014
【図１３】
2006005895.tif 000015
【図１４】
2006005895.tif 000016
【図１５】
2006005895.tif 000017